(57)【特許請求の範囲】
【請求項１】
全体として円弧形状をした本体先端には洗浄部があり、中間部には腕部があり、後部には操作部を有し、洗浄部、腕部、操作部が一体となった、容易に変形しない硬質の材料の本体に、洗浄用ホースと洗浄用水槽を組み合せ、４０センチメートル程度の水頭圧で、簡単に使用でき、軽量で故障が無いことを特徴とし、固定使用も携帯使用もできる肛門洗浄器具であって、洗浄部を排便が付着しづらい卵形状にし、洗浄部先端から４センチメートルほど離した位置に設置したホース口から、洗浄水を先端に届くように本体の延長方向に対し４５度程度の角度で噴射させた状態で、洗浄部先端を肛門に接触させて、手動で排便をこすり洗浄することを特徴とする肛門洗浄器具。
【発明の詳細な説明】
【技術分野】
【０００１】  この発明は、排便後の肛門を衛生的に、簡単，確実，安価に洗浄でき、携帯もできる肛門洗浄器具に関する。
【背景技術】
【０００２】  排便後の肛門の処理は、トイレットペーパーなどにより拭き取りが大勢を占める中、電動機械を使用した高圧洗浄水によるトイレ（例えば、特許文献１参照）が普及してきた。また、電動機械を使用せずに洗浄する器具（例えば、実用新案文献１参照）や携帯できる洗浄器具（例えば、特許文献２参照）なども出願されている。さらに、世界の中には、手による洗浄をする人たちもいる。
これらの方法は、排便後の肛門や処理後の手を清潔にするために、多くのトイレットペーパー，水道水，電気エネルギーなどを使用しているため環境負荷が大きい。電動機械を使用しない器具は、使用方法が難しく、確実に洗浄することが困難であるため、実用に適さなく、商品化できないものであった。
【先行技術文献】
【特許文献】
【特許文献１】特開２００８−２９１５２１号公報
【特許文献２】特開２００６−２３０９７５号公報
【実用新案文献】
【実用新案文献１】
実開平０６−０２７９７３号公報
【発明の概要】
【発明が解決しようとする課題】  そこで、動力を使わず、構造が単純で、故障しなく、安価な材料を使用し大量生産が可能で、紙や水の使用量を少なくして環境負荷の減少を図り、排泄物を簡単に清潔に確実に洗浄でき、さらに、便利で美しい日用品として、世界中の人類の衛生的な生活に貢献できる肛門洗浄器具が求められている。【０００３】  本発明は、動力を使わず、構造が単純で、故障がなく、安価な材料で大量生産でき、紙や水の使用量を少なくして環境負荷を減少でき、排泄物を簡単に清潔に確実に洗浄でき、携帯用としても使用できて、さらに、便利で美しい日用品として、世界中の人類の衛生的な生活に貢献できる肛門洗浄器具を提供することを目的とする。
【本発明を解決するための手段】
【０００４】  このような目的を達成する本発明の肛門洗浄器具は、洗浄器具本体に洗浄用ホースと水槽を組み合せたものであり、本体先端には洗浄部があり、中間部には腕部があり、後部には操作部を有する。
使用方法は、汚物が洗浄部に付着しないようにするために、洗浄水を洗浄部先端に噴射させながら、使用者本人が先端を肛門に直接接触させ、操作部を操作して、排泄物をこすり流して洗浄する。
【０００５】  洗浄水の水圧は、肛門から４０から５０センチメートル程度の水頭差でよく、１回あたりの使用水量は、使用者によって差異はあるが、０．５リットル程度でよい。
【０００６】  洗浄用ホースの内径は４ミリメートル程度、外径は６ミリメートル程度、長さは１メートル程度の合成樹脂ホースなどを使用する。肛門洗浄器具本体にホース固定誘導用穴を１から２個程度を設け、その穴にホースを通し固定する。本体の洗浄部端側の穴は、洗浄水噴射口であるホースの先端が排便で汚れないように洗浄部先端から４センチメートル程度離し、さらに、本体から数ミリメートル突出させたホース先端から、洗浄水が本体先端部に容易に届くようにするため、本体に対し４５度程度の角度とする。
【０００７】  本体の長さは、家庭のトイレなどに設置して使用する場合は４０センチメートル程度であり、携帯用としては２０センチメートル程度とする。
【０００８】  本体の材質は、人力で容易に変形しない合成樹脂，木材，石材，金製品も含む金属材料あり、腕部の直径は、０．５から２センチメートル程度とする。
【０００９】  洗浄部の構造は、排便が付着しづらい構造にするため、直径１から３センチメートル程度の球形や卵形の形状とする。
【００１０】  洗浄部の構造を、リング形状としても使用でき、リング形状の場合は、太さ３から４ミリメートルの線材を使用して、外直径１から２センチメートルの円形や楕円形のリング形状とする。
【００１１】  本体の腕部は、使用し易いようにするため、半径４０センチメートル程度の円弧形とする
【００１２】  家庭のトイレなどに固定用として設置して常に用いる場合は、水槽の口部にホース接続キャップを取付け、開閉栓を接続し、肛門洗浄器具のホースを接続して使用する。複数の肛門洗浄器具を使用するときはキャップと開閉栓の間に分岐を取り付けて使用する。
【００１３】  携帯用として用いる場合の水槽は、自在に変形できる蓋付の袋などの容器や、ペットボトルを使用し、使用時は水槽を肛門位置から４０センチメートル程度の高さに持ち上げ使用する。変形しない水槽の場合は、ホース接続キャップに直径１ミリメートル程度の空気流入用の穴を開けて、逆さまにして使用する。
【００１４】  使用後は、肛門洗浄器具の洗浄部を、アルコールなどの消毒液を使用し、トイレットペーパーなどで拭き取り清潔に保つ。肛門付近は少量のトイレットペーパーなどで水分を拭き取り、清潔に洗浄できたか確認する。
【発明の効果】
【００１５】  このような肛門洗浄器具は、器具から洗浄水を噴射させながら、器具の先端で、排便後に、肛門や肛門周辺に付着した排便を、強制的にこすり流すことによって、確実に清潔に洗浄できる。さらに、従来行われているようなトイレットペーパーで排便を拭き取る時に、トイレットペーパーを介して病原体が手に付着する危険性も防止できる。
【００１６】  また、１回当りに使用する使用水量は、０．５リットル程度でよく、トイレットペーパーの使用量は、洗浄後の水分拭き取り用の、４０センチメートル程度の長さでよく、資源の使用量を極端に減少できる。
【００１７】  また、水槽として、ペットボトルなどの底を切断して広げ、口部を下にして壁に吊り下げて使用できるため経済的である。インテリアとして楽しむ場合は高級素材容器も使用できる。
【００１８】  また、洗浄部と腕部と操作部からなる本体に、ホースを接続して、ホース先端から洗浄水を噴射させた状態で洗浄するため、構造が単純で、使用方法が簡単で、故障が無く、安価，小型，軽量であり、携帯しても使用することもできる。本体の素材は安価な合成樹脂や木材などから、高価な金属や石材なども使用できる。
【００１９】  また、自分の力で肛門を、優しく洗浄できるため、痔などで肛門を患っている患者の肛門洗浄にも優しく対応できる。
【００２０】  また、手による洗浄を習慣とする人たちにとっては、手の代わりになり、衛生的な生活を提供できる。
【発明を実施するための形態】
【００２１】  以下、本発明の肛門洗浄器具の使用方法の一形態について、図面を参照して説明する。
【００２２】  本発明の肛門洗浄器具は、図１に示すように、腕部１、洗浄部２、操作部３の部分から成る肛門洗浄器具本体に、長さ１メートル程度の洗浄水供給ホース６と、洗浄水供給水槽１０等が接続されている。洗浄水噴射口であるホース先端７に排便が付着しないように洗浄水供給ホース先端７から肛門洗浄部２の先端部までの離隔を４センチメートル程度離す。本体に数個の洗浄水供給ホース６の固定用として、穴４，５を開け、洗浄水供給ホース６を通し洗浄水供給ホース先端部７や他の箇所を固定する。本体後部の操作部分３は曲げたりして洗浄操作を容易にする。洗浄水供給ホース６と洗浄水供給水槽１０との接続は、開閉栓８と接続キャップ９で接続する。洗浄水供給水槽１０、キャップ９、開閉栓８、ホース６は、市販の水槽や、水袋，ペットボトルなどが使用できる。携帯用として使用する場合は、肛門洗浄器具本体腕部１の長さは、２０センチメートル程度の長さとして、開閉栓６は、無くてもよい。
【００２３】  このような構造を持つ肛門洗浄器具を使用しての洗浄方法について説明する。
【００２４】  肛門洗浄方法は図１に示すように、ホース先端７から噴射する噴射洗浄水１２が洗浄部２の先端に届くように、水槽の高さを調整する。その水頭圧は４０センチメートル程度と低い水頭圧でよい。このような状態で、ホース先端７から洗浄水１１を噴射させた状態で、洗浄部２の先端部分を肛門に押し当てて排便を、こすり流す方法であり、洗浄器具の故障が無く、簡単で確実な方法である。洗浄後は肛門付近に付着した洗浄水を４０センチメートル程度の長さのトイレットペーパーなどで拭き取る。洗浄部２は、清潔に保つため、アルコールなどの消毒水で消毒する。
【００２５】  なお、肛門洗浄器具の先端部２の形状は図の１０１の側面図の２や１０１の正面図である１０２の２に示すような卵形状や、１０３の側面図の１３と１０３の正面図である１０４の１３に示すようなリング形状として、排便の付着を防止できる形状とする。また、この肛門洗浄器具は本人のみならず、本体部分の腕１の形状を直線形状や、逆円弧形状などに変形させることによって、介護人やペットなどに対する洗浄器具としても使用できるし、家畜、植物などの洗浄器具としても使用できる。
【図面の簡単な説明】
【００２６】
【図１】本発明の肛門洗浄器具の使用時の形態図
【符号の説明】１・・・・・・肛門洗浄器具本体腕部
２・・・・・・肛門洗浄器具本体洗浄部（卵形状）
３・・・・・・肛門洗浄器具本体操作部（本体後部）
４・・・・・・洗浄水供給ホース先端部固定穴
５・・・・・・洗浄水供給ホース後部固定穴
６・・・・・・洗浄水供給ホース
７・・・・・・洗浄水噴射口（ホース先端部）
８・・・・・・開閉栓
９・・・・・・接続キャップ
１０・・・・・洗浄水供給水槽
１１・・・・・洗浄水（水道水）
１２・・・・・噴射洗浄水
１３・・・・・洗浄部（リング形状）
【図１】
0005382654.tif 000002